(57)【要約】【課題】本考案は、腕、手首等に障害があったり、手首等を怪我で使用できない人のような手の握力が乏しい人であっても、指先だけの力で容易に頭髪等のブラッシングを行うことが可能なブラシを提供する。【解決手段】本考案の指差しブラシ１は、指を差し込み可能な指筒２と、この指筒２の外周部の一部面又は全面に列設された多数のブラシ片５とを有し、指に指筒２を差し込み、頭髪に指差しブラシ１のブラシ片５を当て、指を動かすことでブラッシングを行うようにしたものである。【選択図】図１
0003097136.tif 000002
【実用新案登録請求の範囲】
【請求項１】
指を差し込み可能な指筒と、この指筒の外周部の一部面又は全面に列設された多数のブラシ片とを有することを特徴とする指差しブラシ。
【請求項２】
指を差し込み可能な指筒と、この指筒の外周部の一部面又は全面に列設された多数のブラシ片とを有する指差しブラシを、前記指筒の径を異ならせて複数個構成とし、各指差しブラシを太さの異なる複数の指に各々差し込んでブラッシング可能としたことを特徴とする指差しブラシ。
【請求項３】
前記指筒は、長さ方向に沿った一部に切欠部又はスリット部を有するものであることを特徴とする請求項１又は２記載の指差しブラシ。
【請求項４】
指筒は、複数のリング状部を具備して形成されたものであることを特徴とする請求項１乃至３のいずれかに記載の指差しブラシ。
【請求項５】
指筒は、胴長の管状部を具備して形成されたものであることを特徴とする請求項１乃至３のいずれかに記載の指差しブラシ。
【考案の詳細な説明】
【考案の属する技術分野】
本考案は、使用者の指に差し込んで頭髪等をブラッシング可能とした指差しブラシに関するものである。
【従来の技術】
従来、頭髪等のブラッシングを行うブラシにおいては、多数のブラシ片を植設したブラシ本体に手で握るための柄部を付加し、柄部を握って多数のブラシ片を頭髪に当てブラッシングする使用形態が通常である。
しかし、このようなブラシ形態の場合、柄部を握るための手の握力が乏しい人、例えば、腕、手首等に障害があったり、手首等を怪我で使用できない人等にとっては実際の使用が困難であった。
特許文献１には、ブラシ基台に円柱状の把持部を設け、使用者が把持部を２本の指で挟んで頭皮のマッサージ、ブラッシングを行うようにしたブラシが提案されている。しかし、特許文献１のブラシの場合、使用者が把持部を２本の指で挟む構成であるため、ある程度の握力を要し、手首等を怪我で使用できない人等にとっては実際の使用時の負担が大きかった。
【特許文献１】
特開２００２−７８７６１号公報
【考案が解決しようとする課題】
本考案は、上記従来の実情に鑑み開発されたものであり、例えば、腕、手首等に障害があったり、手首等を怪我で使用できない人のような手の握力が乏しい人であっても、指先だけの力で容易に頭髪等のブラッシングを行うことが可能なブラシを提供することを目的とするものである。
【課題を解決するための手段】
請求項１記載の考案の指差しブラシは、指を差し込み可能な指筒と、この指筒の外周部の一部面又は全面に列設された多数のブラシ片とを有することを特徴とするものである。
請求項１記載の指差しブラシによれば、使用者が左右いずれの手の例えば人差し指等の単数の指にこの指差しブラシを装着して、ブラシ片により頭髪のブラッシングを効率よく行うことができ、使用者の使用態様を多様化できる。
請求項２記載の考案の指差しブラシは、指を差し込み可能な指筒と、この指筒の外周部の一部面又は全面に列設された多数のブラシ片とを有する指差しブラシを、前記指筒の径を異ならせて複数個構成とし、各指差しブラシを太さの異なる複数の指に各々差し込んでブラッシング可能としたことを特徴とするものである。
請求項２記載の指差しブラシによれば、使用者が左右いずれの手又は両方の手の複数の指に各指差しブラシを装着して、ブラシ片により頭髪のブラッシングを効率よく行うことができ、使用者の使用態様を多様化できる。
請求項３記載の考案の指差しブラシは、請求項１乃至３のいずれかに記載の指差しブラシにおいて、指筒は、長さ方向に沿った一部に切欠部又はスリット部を有するものであることを特徴とする。
請求項３記載の指差しブラシによれば、請求項１又は２記載の作用に加えて、指筒の一部に切欠部又はスリット部を設けているので、使用に際して、指筒への指の差し込みが円滑で、指筒に指し込んだ指に対して弾力感を発揮できる。
請求項４記載の考案の指差しブラシは、請求項１乃至３のいずれかに記載の指差しブラシにおいて、指筒は、複数のリング状部を具備して形成されたものであることを特徴とする。
請求項５記載の考案の指差しブラシは、請求項１乃至３のいずれかに記載の指差しブラシにおいて、指筒は、胴長の管状部を具備して形成されたものであることを特徴とする。
請求項４、５記載の指差しブラシによれば、請求項１乃至３のいずれかに記載の作用に加えて、指筒を、複数のリング状部又は胴長の管状部を具備して形成しているので、使用に際して、指筒への指の差し込みが円滑で、指筒に指し込んだ指に対して円滑な使用感を発揮できる。
【考案の実施の形態】
以下、本考案の実施の形態について詳細に説明する。
（実施の形態１）
図１乃至図３は本考案の実施の形態１の指差しブラシ１を示すものであり、この指差しブラシ１は、指を差し込み可能な円筒状で例えば合成樹脂製の指筒２と、この指筒２の外周部の一部分（例えば全周の１／３程度に亙って）に指筒２の外周に沿って放射状配置に、且つ、複数列に亙って列設支持された多数の例えば合成樹脂製のブラシ片５とを有してなるものである。
上記ブラシ片５は、ブラシ片支持用の例えばゴム板のような弾性を有する板材により形成したブラシ基台（図示せず）に弾力的に支持し列設し、このブラシ基台を前記指筒２の外周部の一部分に固着するようにして構成しても良い。
前記指筒２の材質、ブラシ片５の形状、材質、列設手段は、これらを限定するものではない。
また、指筒２の径のサイズを限定するものではなく、例えば、人差し指用、中指用、薬指用、小指用、親指用の各サイズに指筒２の径を形成できる。更に、ブラシ片５の突出端には小球部（図示せず）を設けても良い。
前記指筒２は、図示する実施の形態では適当な肉厚をもった円筒状に形成している。
次に、本実施の形態１の指差しブラシ１の使用態様について説明する。
本実施の形態１の指差しブラシ１の使用者が、指を差し込み可能な指筒２に例えば人差し指を差し込むことで、この指差しブラシ１は使用可能な状態となり、この状態で、図示しない頭髪に指差しブラシ１のブラシ片５を当てながら人差し指を頭髪に沿って動かすだけで頭髪のブラッシングを行うことができる。
このように本実施の形態１の指差しブラシ１によれば、使用者の指に指筒２を差し込み、頭髪に指差しブラシ１のブラシ片５を当て、指を動かすだけという極めて簡略な操作だけで、頭髪のブラッシングを行うことができる。すなわち、手の握力が乏しい人であっても、指先だけの力で容易に頭髪等のブラッシングを行うことが可能となる。
なお、本実施の形態１の指差しブラシ１は、これを単一の指のみに差し込んで使用する場合だけでなく、使用者の複数の指、例えば、人差し指と中指等々の複数の各指に複数の各指筒２を差し込んで使用することもできる。
すなわち、指筒２の径のみを異ならせて形成した複数個の各指差しブラシ１を用意し、これらを、例えば人差し指、中指に各々差し込み、２個の指差しブラシ１、１の各ブラシ片５を頭髪に当て、頭髪に沿って人差し指、中指を各々動かすだけで、頭髪のブラッシングを２個の指差しブラシ１、１により効率よく行うことができる。
なお、指筒２の径のみを異ならせて３個以上の指差しブラシ１を構成し、人差し指、中指、更には薬指に各々これらを装着して、頭髪のブラッシングをより効率よく行うようにすることがもきる。
（実施の形態２）
図４は本考案の実施の形態２に係る指差しブラシ１Ａを示すものであり、この指差しブラシ１Ａは、前記指差しブラシ１と基本的には同様な構成であるが、指筒２の外周部全面に多数のブラシ片５を列設支持するように構成したものである。
本実施の形態２の指差しブラシ１Ａによっても、前記実施の形態１の指差しブラシ１と同様に、例えば人差し指等を指筒２に差し込み、指差しブラシ１Ａのブラシ片５を頭髪に当て、頭髪に沿って人差し指を動かすだけで、頭髪のブラッシングを効率よく行うことができる。
この場合、特に、指筒２の外周部全面に多数のブラシ片５を列設支持しているので、例えば使用者が左右いずれの手の人差し指等にこの指差しブラシ１Ａを装着しても、指筒２の外周部全面のいずれかの部分のブラシ片５により頭髪のブラッシングを効率よく行うことができ、使用者の使用態様を多様化することができる。
（実施の形態３）
図３は本考案の実施の形態３に係る指差しブラシ１Ｂを示すものであり、この指差しブラシ１Ｂは、前記指差しブラシ１と基本的には同様な構成であるが、指筒２の長さ方向に沿った一部に切欠部１１又は図中破線で示すスリット部１２を設けたことが特徴である。
この場合においても、前記実施の形態２と同様に、指筒２の外周部全面に多数のブラシ片５を列設支持するように構成しても良い。
本実施の形態３の指差しブラシ１Ｂによっても、前記実施の形態１、２の各指差しブラシ１、１Ａと同様に、例えば人差し指等を指筒２に差し込み、指差しブラシ１Ｂのブラシ片５を頭髪に当て、頭髪に沿って人差し指を動かすだけで、頭髪のブラッシングを効率よく行うことができる。
この場合、特に、指筒２の一部に切欠部１１又はスリット部１２を設けているので、使用に際して、指筒２への指の差し込みが円滑で、指筒２に指し込んだ指に対して弾力感を発揮できる。
（実施の形態４）
図６乃至図８は本考案の実施の形態４に係る各指差しブラシ１Ｃ、１Ｄを示すものであり、この指差しブラシ１Ｃ、１Ｄは、前記指差しブラシ１と基本的には同様な構成であるが、指筒２に変形を施し、指差しブラシ１Ｃは複数のリング状部２ａを具備して指筒２を形成したものであることが特徴であり、指差しブラシ１Ｄは胴長の管状部２ｂを具備して指筒２を形成したものであることが特徴である。図８は図６の側面図である。
本実施の形態４の指差しブラシ１Ｃ、１Ｄによっても、前記実施の形態１の指差しブラシ１と同様に、例えば人差し指等を指筒２に差し込み、指差しブラシ１Ｃ又は１Ｄのブラシ片５を頭髪に当て、頭髪に沿って人差し指を動かすだけで、頭髪のブラッシングを効率よく行うことができる。
この場合、特に、指筒２を複数のリング状部２ａ又は胴長の管状部２ｂを具備して各指筒２を形成しているので、使用に際して、指筒２への指の差し込みが円滑で、指筒２に指し込んだ指に対して円滑な使用感を発揮できる。
【考案の効果】
本考案によれば、手の握力が乏しい人であっても、指先だけの力で容易に頭髪等のブラッシングを行うことが可能であり、また、使用者の使用態様を多様化できる指差しブラシを提供できる。
また、本考案によれば、上記効果に加えて、ブラシッングの効率をより向上できる。指差しブラシを提供できる。
【図面の簡単な説明】
【図１】本考案の実施の形態１の指差しブラシの斜視図である。
【図２】本考案の実施の形態１の指差しブラシの正面図である。
【図３】本考案の実施の形態１の指差しブラシの側面図である。
【図４】本考案の実施の形態２の指差しブラシの側面図である。
【図５】本考案の実施の形態３の指差しブラシの側面図である。
【図６】本考案の実施の形態４の指差しブラシの正面図である。
【図７】本考案の実施の形態４の変形した指差しブラシの正面図である。
【図８】図７の指差しブラシの側面図である。
【符号の説明】
１　　指差しブラシ
１Ａ　指差しブラシ
１Ｂ　指差しブラシ
１Ｃ　指差しブラシ
１Ｄ　指差しブラシ
２　　指筒
２ａ　リング状部
２ｂ　胴長の管状部
５　　ブラシ片
１１　　切欠部
１２　　スリット部
【図１】
0003097136.tif 000003
【図２】
0003097136.tif 000004
【図３】
0003097136.tif 000005
【図４】
0003097136.tif 000006
【図５】
0003097136.tif 000007
【図６】
0003097136.tif 000008
【図７】
0003097136.tif 000009
【図８】
0003097136.tif 000010